(57)【要約】【課題】携帯電話に接続するアダプタ等の機器において、データをプッシュボタン信号に変換してサーバ等へ伝送することにより、携帯電話のキャリアや機種を問わず機器やプログラムを汎用化可能な場合を飛躍的に増大させ、使い勝手やコストも効果的に改善すること。【解決手段】データ変換部Ｃは変換伝送手段として、送信データを変換したプッシュボタン信号の列を発生させるためのダイヤル操作指令コードの列を携帯電話Ｋへ送ることによってデータ伝送を行わせる。より具体的には、データ変換部Ｃは送信データを所定の変換規則に基づいてプッシュボタン信号、すなわちＤＴＭＦ（Dial Tone Multi Frequency）信号の列に変換（マッピング）してプラグＦ２及び携帯電話Ｋを経て通信先のサーバＳへ伝送させる。【選択図】図１
2006005794.tif 000002
【特許請求の範囲】
【請求項１】
携帯電話と接続し情報を授受する接続手段と、前記接続手段を経て前記携帯電話による通信を制御する処理手段と、を備え、
前記処理手段により前記接続手段を経て、所定の通信先へのダイヤル発信を前記携帯電話へ指令するとともに、前記通信先における所定のサーバシステムとの接続確立を確認する手段と、
前記処理手段により送信データを所定の変換規則に基づいてプッシュボタン信号の列に変換して前記接続手段及び前記携帯電話を経て前記通信先の前記サーバシステムへ伝送させる変換伝送手段と、
をコンピュータ又は電子回路が実現することを特徴とする携帯電話用アダプタ。
【請求項２】
外部機器と接続するとともに前記処理手段がその外部機器から前記送信データの入力を受け付けるための第二の接続手段を備えたことを特徴とする請求項１記載の携帯電話用アダプタ。
【請求項３】
前記変換伝送手段は、前記処理手段により、送信データを変換したプッシュボタン信号の列を発生させるためのダイヤル操作指令コードの列を前記携帯電話へ送ることによってデータ伝送を行わせることを特徴とする請求項１又は２記載の携帯電話用アダプタ。
【請求項４】
前記処理手段により、前記携帯電話に記録された顧客固有情報をその携帯電話から読み出す手段と、
読み出した前記顧客固有情報を前記変換伝送手段により前記サーバシステムへ伝送することにより認証を受ける手段と、
を前記コンピュータ又は電子回路が実現することを特徴とする請求項１から３のいずれか一項に記載の携帯電話用アダプタ。
【請求項５】
電話回線と接続し電話の着信を受け付ける受付手段と、前記受付手段経由による外部との通信及び情報処理を行う処理手段と、を備えたサーバシステムにおいて、
前記受付手段により携帯電話からの電話の着信を受け付ける手段と、
その携帯電話から伝送されるプッシュボタン信号をもとに所定の変換規則に基づいて前記処理手段により受信データを復元する復元手段と、
復元した受信データに基づいて前記処理手段に前記情報処理を行わせる手段と、
をコンピュータ又は電子回路が実現することを特徴とするサーバシステム。
【請求項６】
前記受付手段において携帯電話からの着信があったときに、前記処理手段により、発信番号通知、又は、その携帯電話から前記復元手段を経て前記受信データとして伝送される顧客固有情報、の少なくとも一方に基づいて認証を行う手段を前記コンピュータ又は電子回路が実現することを特徴とする請求項５記載のサーバシステム。
【請求項７】
請求項１から４のいずれか一項に記載の携帯電話用アダプタと、
請求項５又は６記載のサーバシステムと、
を備えたことを特徴とする情報処理システム。
【請求項８】
携帯電話と接続し情報を授受する接続手段と、前記接続手段を経て前記携帯電話による通信を制御する処理手段と、を備えた携帯電話用アダプタのコンピュータ又は電子回路が、
前記接続手段を経て、所定の通信先へのダイヤル発信を前記携帯電話へ指令するとともに、前記通信先における所定のサーバシステムとの接続確立を確認する処理と、
送信データを所定の変換規則に基づいてプッシュボタン信号の列に変換して前記接続手段及び前記携帯電話を経て前記通信先の前記サーバシステムへ伝送させる変換伝送処理と、
を実行することを特徴とする情報送信方法。
【請求項９】
第二の接続手段を経て接続された外部機器から前記送信データの入力を受け付けることを特徴とする請求項８記載の情報送信方法。
【請求項１０】
前記変換伝送処理は、送信データを変換したプッシュボタン信号の列を発生させるためのダイヤル操作指令コードの列を前記携帯電話へ送ることによってデータ伝送を行わせることを特徴とする請求項８又は９記載の情報送信方法。
【請求項１１】
前記処理手段により、前記携帯電話に記録された顧客固有情報をその携帯電話から読み出す処理と、
読み出した前記顧客固有情報を前記変換伝送処理により前記サーバシステムへ伝送することにより認証を受ける処理と、
を前記コンピュータ又は電子回路が実行することを特徴とする請求項８から１０のいずれか一項に記載の情報送信方法。
【請求項１２】
電話回線と接続し電話の着信を受け付ける受付手段と、前記受付手段経由による外部との通信及び情報処理を行う処理手段と、を備えたサーバシステムの制御方法において、
前記受付手段により携帯電話からの電話の着信を受け付ける処理と、
その携帯電話から伝送されるプッシュボタン信号をもとに所定の変換規則に基づいて前記処理手段により受信データを復元する復元処理と、
復元した受信データに基づき前記処理手段により前記情報処理を行う手段と、
をコンピュータ又は電子回路が実行することを特徴とするサーバシステムの制御方法。
【請求項１３】
前記受付手段において携帯電話からの着信があったときに、前記処理手段により、発信番号通知、又は、その携帯電話から前記復元処理により前記受信データとして伝送される顧客固有情報、の少なくとも一方に基づいて認証を行う処理と、
をコンピュータ又は電子回路が実行することを特徴とする請求項１２記載のサーバシステムの制御方法。
【請求項１４】
請求項８から１１のいずれか一項に記載の情報送信方法と、
請求項１２又は１３記載のサーバシステムの制御方法と、
を組み合わせることを特徴とする情報処理方法。
【請求項１５】
携帯電話と接続し情報を授受する接続手段と、前記接続手段を経て前記携帯電話による通信を制御する処理手段と、を備えた携帯電話用アダプタのコンピュータを制御することにより、
前記接続手段を経て、所定の通信先へのダイヤル発信を前記携帯電話へ指令させるとともに、前記通信先における所定のサーバシステムとの接続確立を確認させ、
送信データを所定の変換規則に基づいてプッシュボタン信号の列に変換して前記接続手段及び前記携帯電話を経て前記通信先の前記サーバシステムへ伝送させる変換伝送処理を実行させることを特徴とする情報送信プログラム。
【請求項１６】
前記コンピュータに、第二の接続手段を経て接続された外部機器から前記送信データの入力を受け付けさせることを特徴とする請求項１５記載の情報送信プログラム。
【請求項１７】
前記変換伝送処理は、送信データを変換したプッシュボタン信号の列を発生させるためのダイヤル操作指令コードの列を前記携帯電話へ送ることによってデータ伝送を行わせることを特徴とする請求項１５又は１６記載の情報送信プログラム。
【請求項１８】
前記処理手段により、前記携帯電話に記録された顧客固有情報をその携帯電話から読み出す処理と、
読み出した前記顧客固有情報を前記変換伝送処理により前記サーバシステムへ伝送することにより認証を受ける処理と、
を前記コンピュータに実行させることを特徴とする請求項１５から１７のいずれか一項に記載の情報送信プログラム。
【請求項１９】
電話回線と接続し電話の着信を受け付ける受付手段と、前記受付手段経由による外部との通信及び情報処理を行う処理手段と、を備えたサーバシステムの制御プログラムにおいて、そのプログラムはサーバシステムのコンピュータに、
前記受付手段により携帯電話からの電話の着信を受け付けさせ、
その携帯電話から伝送されるプッシュボタン信号をもとに所定の変換規則に基づいて前記処理手段により受信データを復元する復元処理を行わせ、
復元した受信データに基づき前記処理手段により前記情報処理を行わせる
ことを特徴とするサーバシステムの制御プログラム。
【請求項２０】
携帯電話からの電話の着信を受け付ける処理と、
携帯電話からの着信があったときに、発信番号通知、又は、その携帯電話から前記復元処理により前記受信データとして伝送される顧客固有情報、の少なくとも一方に基づいて認証を行う処理と、
を前記コンピュータに実行させることを特徴とする請求項１９記載のサーバシステムの制御プログラム。
【発明の詳細な説明】
【技術分野】
【０００１】
本発明は、携帯電話に接続するアダプタ等の機器において、データをプッシュボタン信号に変換してサーバ等へ伝送することにより、携帯電話のキャリアや機種を問わず機器やプログラムを汎用化可能な場合を飛躍的に増大させ、使い勝手やコストも効果的に改善する技術に関連する。
【背景技術】
【０００２】
近年、情報処理及び通信技術の発達に伴って携帯電話（携帯型電話端末装置の意味で、ＰＨＳも含む。以下同じ）の普及がめざましい。携帯電話の規格には、国や地域、通信サービス会社（キャリア）、技術規格の世代などに応じ、ＰＤＣ、ＣＤＭＡ、ＧＭＳ、ＰＨＳなどがあるが、ほとんどの機種では、その規格に応じた端部コネクタ等の外部インタフェースがある。
【０００３】
このような携帯電話の外部インタフェースに装着し、携帯電話の持つダイヤル発信機能やＷｅｂアクセス機能を使って所定の電話番号やＷｅｂサイトへ接続したり、そのような接続先と情報をやり取りして情報処理を行う外部機器をアダプタと呼ぶ。アダプタとしては、携帯に便利な掌中タイプの小型品や、また、他の情報機器と携帯電話との間を仲介するものも考えられる（例えば、特許文献１参照）。
【０００４】
上記のような外部インタフェースから信号を送り込んで制御できる携帯電話の機能のうち、制御信号形式等にキャリアや機種間の違いがない基本機能として、ダイヤル発信機能がある。このような携帯電話のダイヤル発信機能を用いる外部機器は、物理的なコネクタの形状や信号ピン配列などが共通する限り、互いに異なる複数のキャリアや機種に共用の製品として実現可能であり、その代表例は、各社ＰＤＣ携帯と接続して所定の電話番号への自動ダイヤル発信を行わせるユニットなどがある。
【特許文献１】特開２００２−２２３３１１
【発明の開示】
【発明が解決しようとする課題】
【０００５】
一方、携帯電話の機能のうち、Ｗｅｂアクセスやメール送信など比較的高度又は付加的な機能（以下「付加機能」と呼ぶ）については、そのような付加機能を全く用意しない携帯電話やキャリアがあるだけでなく、送受信コマンドなどの規格や仕様がキャリアや機種ごとに異なる。このため、付加機能を用いるアダプタ等の外部機器は、個々のキャリアや機種群ごとの専用品にしたり、キャリアの違いや携帯電話の機種の違いを識別して制御内容を変えたりといった対応が必要だったため、使い勝手やコストの改善も困難であった。
【０００６】
また、上記のような付加機能を用いたアダプタ等の製品は、携帯電話の新機種が登場すれば、それに対応したプログラムの実装を要するなど、製品を発売した後のプログラム更新をどうするかという課題もあった。
【０００７】
本発明は、上記のような従来技術の課題を解決するもので、その目的は、携帯電話に接続するアダプタ等の機器において、データをプッシュボタン信号に変換してサーバ等へ伝送することにより、携帯電話のキャリアや機種を問わず機器やプログラムを汎用化可能な場合を飛躍的に増大させ、使い勝手やコストも効果的に改善することである。
【課題を解決するための手段】
【０００８】
上記の目的を達成するため、請求項１の携帯電話用アダプタは、携帯電話と接続し情報を授受する接続手段と、前記接続手段を経て前記携帯電話による通信を制御する処理手段と、を備え、前記接続手段を経て、所定の通信先へのダイヤル発信を前記携帯電話へ指令するとともに、前記通信先における所定のサーバシステムとの接続確立を確認する手段と、送信データを所定の変換規則に基づいてプッシュボタン信号の列に変換して前記接続手段及び前記携帯電話を経て前記通信先の前記サーバシステムへ伝送させる変換伝送手段と、をコンピュータ又は電子回路が実現することを特徴とする。
【０００９】
請求項８の情報送信方法は、請求項１の発明を方法という見方から捉えたもので、携帯電話と接続し情報を授受する接続手段と、前記接続手段を経て前記携帯電話による通信を制御する処理手段と、を備えた携帯電話用アダプタのコンピュータ又は電子回路が、前記接続手段を経て、所定の通信先へのダイヤル発信を前記携帯電話へ指令するとともに、前記通信先における所定のサーバシステムとの接続確立を確認する処理と、送信データを所定の変換規則に基づいてプッシュボタン信号の列に変換して前記接続手段及び前記携帯電話を経て前記通信先の前記サーバシステムへ伝送させる変換伝送処理と、を実行することを特徴とする。
【００１０】
請求項１５の情報送信プログラムは、請求項１，８の発明をコンピュータのプログラムという見方から捉えたもので、携帯電話と接続し情報を授受する接続手段と、前記接続手段を経て前記携帯電話による通信を制御する処理手段と、を備えた携帯電話用アダプタのコンピュータを制御することにより、前記接続手段を経て、所定の通信先へのダイヤル発信を前記携帯電話へ指令させるとともに、前記通信先における所定のサーバシステムとの接続確立を確認させ、送信データを所定の変換規則に基づいてプッシュボタン信号の列に変換して前記接続手段及び前記携帯電話を経て前記通信先の前記サーバシステムへ伝送させる変換伝送処理を実行させることを特徴とする。
【００１１】
本発明では、プロトコルを問わずどのようなデータでも音声信号であるプッシュボタン信号として伝送することにより、Ｗｅｂアクセスやメール送信などにおけるようなキャリアや機種、新機種等の違いや固有規格に依存したり個別対応することなく、アダプタ等の外部機器やアプリケーションプログラムなどを、キャリアや機種不問の汎用品として実現可能な場合が飛躍的に増大し、使い勝手やコストも効果的に改善できる。
【００１２】
請求項２の発明は、請求項１記載の携帯電話用アダプタにおいて、外部機器と接続するとともに前記処理手段がその外部機器から前記送信データの入力を受け付けるための第二の接続手段を備えたことを特徴とする。
【００１３】
請求項９の発明は、請求項２の発明を方法という見方から捉えたもので、請求項８記載の情報送信方法において、第二の接続手段を経て接続された外部機器から前記送信データの入力を受け付けることを特徴とする。
【００１４】
請求項１６の発明は、請求項２，９の発明をコンピュータのプログラムという見方から捉えたもので、請求項１５記載の情報送信プログラムにおいて、前記コンピュータに、第二の接続手段を経て接続された外部機器から前記送信データの入力を受け付けさせることを特徴とする。
【００１５】
これらの態様では、第二の接続手段を用いて、ＰＤＡやホルタ心電図などさまざまな外部機器からも、アダプタ経由で送信データを携帯電話でサーバシステムに送ることにより、キャリアや機種の固有規格の問題を回避できる利点が得られる。
【００１６】
請求項３の発明は、請求項１又は２記載の携帯電話用アダプタにおいて、前記変換伝送手段は、前記処理手段により、送信データを変換したプッシュボタン信号の列を発生させるためのダイヤル操作指令コードの列を前記携帯電話へ送ることによってデータ伝送を行わせることを特徴とする。
【００１７】
請求項１０の発明は、請求項３の発明を方法という見方から捉えたもので、請求項８又は９記載の情報送信方法において、前記変換伝送処理は、送信データを変換したプッシュボタン信号の列を発生させるためのダイヤル操作指令コードの列を前記携帯電話へ送ることによってデータ伝送を行わせることを特徴とする。
【００１８】
請求項１７の発明は、請求項３，１０の発明をコンピュータのプログラムという見方から捉えたもので、請求項１５又は１６記載の情報送信プログラムにおいて、前記変換伝送処理は、送信データを変換したプッシュボタン信号の列を発生させるためのダイヤル操作指令コードの列を前記携帯電話へ送ることによってデータ伝送を行わせることを特徴とする。
【００１９】
これらの態様では、プッシュボタンのピポパ音をアダプタや外部機器ではなく、携帯電話側の回路で発生させるので、通信先のサーバ側へ伝送させる波形に劣化が少なく、情報伝送精度や伝送速度の改善が容易になる。
【００２０】
請求項４の発明は、請求項１から３のいずれか一項に記載の携帯電話用アダプタにおいて、前記処理手段により、前記携帯電話に記録された顧客固有情報をその携帯電話から読み出す手段と、読み出した前記顧客固有情報を前記変換伝送手段により前記サーバシステムへ伝送することにより認証を受ける手段と、を前記コンピュータ又は電子回路が実現することを特徴とする。
【００２１】
請求項１１の発明は、請求項４の発明を方法という見方から捉えたもので、請求項８から１０のいずれか一項に記載の情報送信方法において、前記処理手段により、前記携帯電話に記録された顧客固有情報をその携帯電話から読み出す処理と、読み出した前記顧客固有情報を前記変換伝送処理により前記サーバシステムへ伝送することにより認証を受ける処理と、を前記コンピュータ又は電子回路が実行することを特徴とする。
【００２２】
請求項１８の発明は、請求項４，１１の発明をコンピュータのプログラムという見方から捉えたもので、請求項１５から１７のいずれか一項に記載の情報送信プログラムにおいて、前記処理手段により、前記携帯電話に記録された顧客固有情報をその携帯電話から読み出す処理と、読み出した前記顧客固有情報を前記変換伝送処理により前記サーバシステムへ伝送することにより認証を受ける処理と、を前記コンピュータに実行させることを特徴とする。
【００２３】
これらの態様では、携帯電話から読み出した顧客固有情報をプッシュボタン音で送ることにより、キャリアや機種の固有規格に影響されることなく認証を受けることが可能となる。
【００２４】
請求項５の発明は、本発明をサーバ側から捉えたもので、電話回線と接続し電話の着信を受け付ける受付手段と、前記受付手段経由による外部との通信及び情報処理を行う処理手段と、を備えたサーバシステムにおいて、前記受付手段により携帯電話からの電話の着信を受け付ける手段と、その携帯電話から伝送されるプッシュボタン信号をもとに所定の変換規則に基づいて前記処理手段により受信データを復元する復元手段と、復元した受信データに基づいて前記処理手段に前記情報処理を行わせる手段と、を備えたことを特徴とする。
【００２５】
請求項１２の発明は、請求項５の発明を方法という見方から捉えたもので、電話回線と接続し電話の着信を受け付ける受付手段と、前記受付手段経由による外部との通信及び情報処理を行う処理手段と、を備えたサーバシステムの制御方法において、前記受付手段により携帯電話からの電話の着信を受け付ける処理と、その携帯電話から伝送されるプッシュボタン信号をもとに所定の変換規則に基づいて前記処理手段により受信データを復元する復元処理と、復元した受信データに基づき前記処理手段により前記情報処理を行う手段と、をコンピュータ又は電子回路が実行することを特徴とする。
【００２６】
請求項１９の発明は、請求項５，１２の発明をコンピュータのプログラムという見方から捉えたもので、電話回線と接続し電話の着信を受け付ける受付手段と、前記受付手段経由による外部との通信及び情報処理を行う処理手段と、を備えたサーバシステムの制御プログラムにおいて、そのプログラムはサーバシステムのコンピュータに、前記受付手段により携帯電話からの電話の着信を受け付けさせ、その携帯電話から伝送されるプッシュボタン信号をもとに所定の変換規則に基づいて前記処理手段により受信データを復元する復元処理を行わせ、復元した受信データに基づき前記処理手段により前記情報処理を行わせることを特徴とする。
【００２７】
請求項６の発明は、請求項５記載のサーバシステムにおいて、前記受付手段において携帯電話からの着信があったときに、前記処理手段により、発信番号通知、又は、その携帯電話から前記復元手段を経て前記受信データとして伝送される顧客固有情報、の少なくとも一方に基づいて認証を行う手段を前記コンピュータ又は電子回路が実現することを特徴とする。
【００２８】
請求項１３の発明は、請求項６の発明を方法という見方から捉えたもので、請求項１２記載のサーバシステムの制御方法において、前記受付手段において携帯電話からの着信があったときに、前記処理手段により、発信番号通知、又は、その携帯電話から前記復元処理により前記受信データとして伝送される顧客固有情報、の少なくとも一方に基づいて認証を行う処理と、をコンピュータ又は電子回路が実行することを特徴とする。
【００２９】
請求項２０の発明は、請求項６，１３の発明をコンピュータのプログラムという見方から捉えたもので、請求項１９記載のサーバシステムの制御プログラムにおいて、前記受付手段において携帯電話からの着信があったときに、前記処理手段により、発信番号通知、又は、その携帯電話から前記復元処理により前記受信データとして伝送される顧客固有情報、の少なくとも一方に基づいて認証を行う処理と、を前記コンピュータに実行させることを特徴とする。
【００３０】
請求項７の情報処理システムは、本発明をクライアント・サーバ・システム全体として捉えたもので、請求項１から４のいずれか一項に記載の携帯電話用アダプタと、請求項５又は６記載のサーバシステムと、を備えたことを特徴とする。
【００３１】
請求項１４の情報処理方法は、請求項７の発明を方法という見方から捉えたもので、請求項８から１１のいずれか一項に記載の情報送信方法と、請求項１２又は１３記載のサーバシステムの制御方法と、を組み合わせることを特徴とする。
【発明の効果】
【００３２】
上記のように、本発明では、携帯電話に接続するアダプタ等の機器において、データをプッシュボタン信号に変換してサーバ等へ伝送することにより、携帯電話のキャリアや機種を問わず機器やプログラムを汎用化可能な場合を飛躍的に増大させ、使い勝手やコストも効果的に改善することができる。
【発明を実施するための最良の形態】
【００３３】
次に、本発明を実施するための最良の実施形態について、図面を参照して説明する。なお、既に述べた背景技術や課題と共通の前提事項は再言しない。
〔１．構成〕
本実施形態は、図１に示すように、携帯電話Ｋに着脱して用いる携帯電話用アダプタ（以下単に「アダプタ」と呼ぶ）Ｘと、通信先となるセンター設備等のサーバシステム（以下単に「サーバ」と呼ぶ）Ｓと、を電話回線（例えば、携帯電話回線、一般加入電話回線、ＩＰ電話回線等を単独又は適宜組み合わせる）で接続する情報処理システム（以下「本システム」と呼ぶ）に関するもので、アダプタ単独や、アダプタにおける情報送信方法やアダプタの制御プログラム、サーバシステム単独や、サーバシステムの制御方法や制御プログラムとしても把握できる。
【００３４】
本実施形態におけるアダプタＸは、携帯電話Ｋに設けられているＰＤＣ等の外部インタフェース用ソケットＦ１と接続し情報を授受する外部インタフェース用プラグＦ２などの接続手段と、前記接続手段を経て携帯電話Ｋによる通信を制御する図示しないＣＰＵやメモリＭなどの処理手段と、を備える。この処理手段はより具体的には、アダプタＸに内蔵の電子回路が、又は、組込み等のプログラムがメモリやＣＰＵを備えるマイコン等のコンピュータを制御することにより、後述する機能、処理、作用を実現、実行する各要素Ａ，Ｂ，Ｃを実現するものである（図１）。
【００３５】
特に、本実施形態におけるアダプタＸは、携帯電話Ｋ以外のさらに他の外部機器と接続するとともに前記処理手段がその外部機器から前記送信データの入力を受け付けるための第二の接続手段として、例えば、ＵＳＢ等の外部インタフェース用ソケットＦ３を備える。
【００３６】
また、サーバＳは、電話回線と接続し電話の着信を受け付ける着信受付回路Ｓ１などの受付手段と、前記着信受付回路Ｓ１による外部との通信及び情報処理を行う処理手段と、を備え、この処理手段はより具体的には、サーバに内蔵の電子回路が、又は、サーバプログラム等のプログラムがメモリ、ＣＰＵ、ＨＤＤなどを備えるコンピュータを制御することにより、後述する機能、処理、作用を実現、実行する各要素Ｓ１，Ｓ２，Ｓ３（図１）を実現するものである。
【００３７】
〔２．作用〕
ユーザは、本実施形態におけるアダプタＸを用いてサーバＳへデータ送信を行おうとする場合、携帯電話ＫのソケットＦ１にアダプタＸのプラグＦ２を装着し、又はさらにアダプタＸのソケットＦ３にＰＤＡなど他の外部機器を接続した状態で、アダプタＸやその外部機器に所定の操作を行うと、アダプタＸは図２のフローチャートに示すように通信を行う。
【００３８】
〔２−１．アダプタでの送信処理〕
まず、アダプタＸでは、携帯情報読取部Ａが、前記処理手段により、電話番号、ユーザＩＤ、端末製造番号などの顧客固有情報を、所定の読出し指令を用いて携帯電話Ｋから読み出す（図２のステップ１）。続いて、携帯電話制御部Ｂが前記処理手段により接続手段であるプラグＦ２を経て、所定の通信先へのダイヤル発信を携帯電話Ｋへ指令するとともに（ステップ２）、前記通信先であるセンターなど所定のサーバＳとの接続確立を確認する（ステップ３）。
【００３９】
また、携帯電話制御部Ｂは、所定の認証ＩＤや（ステップ４）、上記のように読み出したそれら顧客固有情報をデータ変換部ＣによりサーバＳへ伝送することにより認証を受ける（ステップ５）。そして、上記のような認証を受ける際、また、認証通過後に目的のデータを伝送する際（ステップ６）、データ変換部Ｃは変換伝送手段として、前記処理手段により、送信データを変換したプッシュボタン信号の列を発生させるためのダイヤル操作指令コードの列を携帯電話Ｋへ送ることによってデータ伝送を行わせる。
【００４０】
より具体的には、データ変換部Ｃは前記処理手段により、送信データをいったんメモリＭに蓄積のうえ、所定の変換規則に基づいてプッシュボタン信号、すなわちＤＴＭＦ（Dial Tone Multi Frequency）信号の列に変換（マッピング）してプラグＦ２及び携帯電話Ｋを経て通信先のサーバＳへ伝送させる。通信終了後は（ステップ７）携帯電話ＫからアダプタＸを取り外せばよい。
【００４１】
〔２−２．サーバでの受信処理〕
以上のようなデータ伝送を受ける側のサーバＳでは、例えばＣＴＩ装置等を利用した着信受付回路Ｓ１により（図１）携帯電話Ｋからの電話の着信を検出すると、データ復元部Ｓ２が、その携帯電話Ｋから伝送されるプッシュボタン信号をもとに所定の変換規則に基づいて処理手段により受信データを復元し、情報処理部Ｓ３が、復元したこの受信データに基づいて処理手段に所定の情報処理を行わせる。
【００４２】
この際、情報処理部Ｓ３は着信受付回路Ｓ１において携帯電話Ｋからの着信があったときに、前記処理手段により、発信者番号通知、又は、その携帯電話Ｋからプッシュボタン信号として伝送されデータ復元部Ｓ２で復元された受信データに含まれるＩＤ等の顧客固有情報、の少なくとも一方又は適宜の組合せに基づいて正規ユーザからのアクセスか否か認証を行う。そのうえで、さらに上記と同様に、音声データ中のプッシュボタン信号の形で伝送及び復元された目的の伝送データを、任意のアプリケーション処理に用いる。
【００４３】
〔２−３．データ伝送の例〕
ここで、プッシュボタン信号（ピポパ音）を用いたデータ伝送の一例を示す。例えば、数値データは、プッシュボタン信号「０」「１」「２」…「８」「９」で各桁にそのまま対応させ、「＊」「＃」は単独で、又は「＊１」「＃２」のような組合せにより数値区切りや小数点などを表す等の変換規則を用いることで、一又は二以上の整数や実数等の数値を伝送できる。
【００４４】
また、数値以外のデータも、所定の規則性でプッシュボタン信号と対応関係を予め割付（マッピング）することにより自由に伝送できる。例えば文字列の場合、ページャ（登録商標：ポケットベル）等におけるカナ入力の要領に準じ、例えば、カナ英数記号一文字を数字２桁で表して伝送できる。一例として、送信データである文字列「アシタ」を元に、「ア」→１１、「シ」→３２、「タ」→４１のように置き換えれば、「１１３２４１」というプッシュボタン音（ピポパ音）の並びとして伝送し、受信側で逆変換することによりもとの文字列「アシタ」が復元できる。また、２進数、１６進数などどのような表現形式のバイナリデータでも、プッシュボタン信号「０」「１」「２」…「８」「９」「＊」「＃」の１２値による１２進数との間で進数変換など目的に合わせた所望の変換（マッピング）を行えば伝送が実現する。
【００４５】
以上、本実施形態では、図３に簡略化して示すシーケンス図のように、アダプタＸから携帯電話Ｋに対し、フックスイッチのＯＮ、ＯＦＦ、ダイヤル発信の他に、プッシュボタン（ＰＢ）信号を、データ伝送のためにも用いることになる。
【００４６】
〔２−４．応用分野の例〕
上記のようなデータ伝送を適用可能な応用分野すなわちアプリケーションは無限であり、具体的に限定するものではないが、一例として、従来はキャリアや機種への依存性があった電子メールや各種インスタント・メッセージ等の他にも、携帯電話を利用した勤怠管理システムにおける出退勤のフラグや日時、健康管理器具などにおける日時、測定値など、各種数値等時系列データのほか、アダプタ個々に割り振ったＩＤ、携帯電話の電話番号といったユーザごと固有の所望のデータを、外部機器からアダプタへ提供し、ＰＢ信号に変換してサーバシステムへ送ることが考えられる。
【００４７】
なお、セキュリティ等具体的な事情に応じて実現態様はどのようにも変形可能であり、例えば、データ等の登録完了通知をセンターから、電子メールやコールバックなどにより携帯電話へ送るなどの例も本発明の範囲内であり、このようにすればなりすまし等の不正アクセスなども効果的に防止できる。
【００４８】
〔３．効果〕
以上のような本発明では、プロトコルを問わずどのようなデータでも音声信号であるプッシュボタン信号として伝送することにより、Ｗｅｂアクセスやメール送信などにおけるようなキャリアや機種、新機種等の違いや固有規格に依存したり個別対応することなく、アダプタ等の外部機器やアプリケーションプログラムなどを、キャリアや機種不問の汎用品として実現可能な場合が飛躍的に増大し、使い勝手やコストも効果的に改善できる。
【００４９】
また、本実施形態では、ソケットＦ３（図１）などの第二の接続手段を用いて、ＰＤＡやホルタ心電図などさまざまな外部機器からも、アダプタ経由で送信データを携帯電話でサーバシステムに送ることにより、キャリアや機種の固有規格の問題を回避できる利点が得られる。
【００５０】
また、本実施形態では、上記ダイヤル操作指令コードなどを用いて、プッシュボタンのピポパ音をアダプタや外部機器ではなく、携帯電話側の回路で発生させることにより、通信先のサーバ側へ伝送させる波形に劣化が少なく、情報伝送精度や伝送速度の改善が容易になる。
【００５１】
また、本実施形態では、携帯電話から読み出した顧客固有情報をプッシュボタン音で送ることにより、キャリアや機種の固有規格に影響されることなく認証を受けることが可能となる。
【００５２】
〔４．他の実施形態〕
なお、本発明は、上記実施形態に限定されるものではなく、以下に例示するもの及びそれ以外のものを含む他の実施形態も含むものである。例えば、本発明の適用対象は、狭義の携帯電話には限定されず、ＰＨＳなども含む。また、アダプタにさらにＰＤＡなど他の外部機器を接続することは必須ではなく、ソケットＦ３は省略可能である。
【図面の簡単な説明】
【００５３】
【図１】本発明の実施形態を示す構成図。
【図２】本発明の実施形態における処理手順を示すフローチャート。
【図３】本発明の実施形態における通信を簡略化して示すシーケンス図。
【符号の説明】
【００５４】
Ｋ…携帯電話
Ｆ１，Ｆ２，Ｆ３…外部インタフェース（ソケット、プラグ）
Ｘ…アダプタ
Ｍ…メモリ
Ａ…携帯情報読取部
Ｂ…携帯電話制御部
Ｃ…データ変換部
Ｓ…サーバ
Ｓ１…着信受付回路
Ｓ２…データ復元部
Ｓ３…情報処理部
【図１】
2006005794.tif 000003
【図２】
2006005794.tif 000004
【図３】
2006005794.tif 000005